(57)【要約】【課題】就寝時において患者に意識させることなく二次電池の充電を行うとともに、緊急時における素早い対応を可能とすることにより、患者の精神的及び肉体的負担を軽減することができる経皮的エネルギ移送装置を提供する。【解決手段】体内に埋設される体内埋込装置３の電源である二次電池４に対し、体外から経皮的に電気エネルギを供給するための経皮的エネルギ移送装置であって、体内に埋め込まれた体内コイルＢと、ベッド１を上下に挟んでギャップ部Ｇを有する磁性体２と、磁性体２に巻着された体外コイルＡと、体外コイルＡに電圧を印加するための外部電源５とから構成されたものである。【選択図】　図１
2004073724.tif 000002
【特許請求の範囲】
【請求項１】
体内に埋設される体内埋込装置の電源である二次電池に対し、体外から経皮的に電気エネルギを供給するための経皮的エネルギ移送装置であって、
体内に埋め込まれ、前記二次電池と電気的に接続された体内コイルと、
患者が就寝するためのベッドを上下に挟んでギャップ部を有する磁性体と、
該磁性体に巻着された体外コイルと、
該体外コイルに電圧を印加するための外部電源と、
を具備し、前記体外コイルにより前記ベッド上の所定範囲内で磁場を生じさせ、該磁場によって体内コイルに電磁誘導作用を生じさせて前記二次電池に電気エネルギを供給することを特徴とする経皮的エネルギ移送装置。
【請求項２】
前記磁性体は、
前記ベッドの近傍に立設した立設部と、
該立設部の下端部から前記ベッドの床面まで延設された下方梁部と、
前記立設部の上端部から前記ベッドの上方まで延設された上方梁部と、
から構成され、前記立設部に前記体外コイルが巻着されるとともに、前記下方梁部の先端面と上方梁部の先端面との間がギャップ部とされたことを特徴とする請求項１記載の経皮的エネルギ移送装置。
【請求項３】
前記上方梁部は、前記ベッドに対して移動可能とされたことを特徴とする請求項２記載の経皮的エネルギ移送装置。
【請求項４】
前記上方梁部は、その先端が同一高さで前記ベッドに対して移動可能とされたことを特徴とする請求項３記載の経皮的エネルギ移送装置。
【発明の詳細な説明】
【０００１】
【発明の属する技術分野】
本発明は、皮膚を完全に閉じた状態で体内に埋め込まれて使用される体内埋込装置に対し、経皮的に電気エネルギを移送するための経皮的エネルギ移送装置に関する。
【０００２】
【従来の技術】
人体を構成する臓器や他の部位を代替又は補助すべく体内に埋め込まれる体内埋込装置として、例えばペースメーカー、人工心臓、人工膵臓及び人工筋肉等が挙げられる。これら体内埋込装置は、主に電力が必要であるため、その給電については種々の手段・方法が提案されているが、体外の電源と常時通電可能な配線を施すと普段の生活に支障を生じさせてしまうことから、通常、充電可能な二次電池を体内埋込装置側に具備させて電力供給を行っている。
【０００３】
然るに、かかる二次電池による給電においても、充電の際は体外の電源との接続が必要となるため、当該二次電池から皮膚を貫通して体外に電線を露出させておき、充電時に該電線の先に電源を接続する構成のものが実用化されている。しかし、このような構成においては、電線が貫通した皮膚から種々の細菌等が浸入し易く、そこから感染症を引き起こす可能性があるため、それに対する予防対策が必要であった。
【０００４】
かかる要望に応えるべく、皮膚を閉じた状態（即ち、皮膚を貫くものがない状態）で二次電池と共に体内埋込装置を埋設しておき、経皮的に外部の電源から電力を供給する経皮的エネルギ移送装置が近年提案されており、例えば特開平７―２９９１５０号公報に開示されている。
【０００５】
上記公報で開示された技術によれば、心臓の動作を補助するための体内埋込装置（ペースメーカー）と、該体内埋込装置に電気エネルギを付与するための二次電池と、該二次電池と電気的に接続された体内コイルとが皮膚を閉じた状態で体内に配設されており、二次電池の充電時には、外部の電源と接続された体外コイルに電流を流すことより経皮的に二次電池の充電を行っていた。
【０００６】
即ち、体内コイルに対し皮膚を介して体外コイルを当接させつつ該体外コイルに電流を流すと、コイル中空部を貫く磁力線から成る磁場が生じ、この磁場により体内コイルに対して誘導電流を生じさせ、二次電池に電気エネルギを供給していた。これにより、感染防止を図りつつ体内埋込装置が具備する二次電池の充電を容易に行うことができる経皮的エネルギ移送装置を得ていた。
【０００７】
【発明が解決しようとする課題】
しかしながら、上記経皮的エネルギ移送装置においては、通常は外部電源との結線が不要であるため、患者の活動範囲が広がって不便を解消するものの、充電時においては体外コイルを皮膚に当接させる都合上、外部電源と体外コイルとを結ぶ電線の長さの範囲内でしか活動ができず、患者の不便を完全に解消するものではなかった。即ち、充電には通常数時間乃至数十時間必要であるため、その間の患者の活動範囲が著しく狭められてしまい、患者の負担は依然重いものとなっていた。
【０００８】
また、患者の就寝時に二次電池の充電を行うようにして、活動範囲の制限による患者の負担を軽減することも考え得るが、電線が接続されていることへの違和感はなくなるものではなく、睡眠の妨げとなるとともに、夜間の緊急時における避難等の対応が遅れてしまう虞があるため、患者の健康及び安全の観点から問題がある。
【０００９】
本発明は、このような事情に鑑みてなされたもので、就寝時において患者に意識させることなく二次電池の充電を行うとともに、緊急時における素早い対応を可能とすることにより、患者の精神的及び肉体的負担を軽減することができる経皮的エネルギ移送装置を提供することにある。
【００１０】
【課題を解決するための手段】
請求項１記載の発明は、体内に埋設される体内埋込装置の電源である二次電池に対し、体外から経皮的に電気エネルギを供給するための経皮的エネルギ移送装置であって、体内に埋め込まれ、前記二次電池と電気的に接続された体内コイルと、患者が就寝するためのベッドを上下に挟んでギャップ部を有する磁性体と、該磁性体に巻着された体外コイルと、該体外コイルに電圧を印加するための外部電源とを具備し、前記体外コイルにより前記ベッド上の所定範囲内で磁場を生じさせ、該磁場によって体内コイルに電磁誘導作用を生じさせて前記二次電池に電気エネルギを供給することを特徴とする。
【００１１】
かかる構成によれば、外部電源から電流を流すと、外部コイルに電圧が印加され、磁性体のギャップ部からベッドの上下を貫く磁力線が発生するとともに、該磁力線から成る磁場によって、ベッドに横たわった患者の体内に埋め込まれた体内コイルに電磁誘導作用が生じ、二次電池に対し経皮的に電気エネルギを供給する。かかる磁性体は、一体成形されたもの（継ぎ目なしのもの）であっても、別体のものを接着剤等で接続したものであってもよく、ギャップ部がベッドを上下に挟んで位置すれば足り、種々の形態及び断面形状（例えば円形又は矩形等）のものを含むものとする。
【００１２】
請求項２記載の発明は、前記磁性体が、前記ベッドの近傍に立設した立設部と、該立設部の下端部から前記ベッドの床面まで延設された下方梁部と、前記立設部の上端部から前記ベッドの上方まで延設された上方梁部とから構成され、前記立設部に前記体外コイルが巻着されるとともに、前記下方梁部の先端面と上方梁部の先端面との間がギャップ部とされたことを特徴とする。
【００１３】
かかる構成によれば、外部電源から電流を流すと、立設部に巻着された体外コイルに電圧が印加され、ここで生じた磁力が下方梁部及び上方梁部の双方に伝達され、ギャップ部からベッドの上下を貫く磁力線が発生される。即ち、磁力線はベッドの床面とその上方との間に生じるので、ベッドに横たわった患者の体内に埋め込まれた体内コイルに対し電磁誘導作用を及ぼし、二次電池に対し経皮的に電気エネルギを供給する。尚、ギャップ部は、ベッドの床面を成す板材を磁力線が貫くようにしてもよいし、ギャップ部に対応する位置における床面の板材に孔を明け、該孔に下方梁部の先端を挿入した構成としてもよい。
【００１４】
請求項３記載の発明は、前記上方梁部が、前記ベッドに対して移動可能とされたことを特徴とする。
【００１５】
かかる構成による上方梁部は、上方梁部のみが立設部及び下方梁部に対して移動する構成のものと、上方梁部の移動に伴い立設部及び下方梁部の全ての構成要素が移動する構成のものとの両者を含む。
【００１６】
請求項４記載の発明は、前記上方梁部が、その先端が前記ベッドに対して同一高さで移動可能とされたことを特徴とする。
【００１７】
かかる構成によれば、下方梁部との間のギャップ部寸法を不変としつつ移動させることができる。かかる梁部の移動は、立設部を中心軸として磁性体が回動する構成もの（上方梁のみが立設部を中心軸として回動するものを含む）と、及び磁性体がベッドに対して摺動する構成のものとの両者を含む。
【００１８】
【発明の実施の形態】
以下、本発明の実施形態について図面を参照しながら具体的に説明する。
本実施形態に係る経皮的エネルギ移送装置は、図１に示すように、外科手術により体内に埋設される体内埋込装置（例えば、人工膵臓）３の電源である二次電池４に対し、体外から経皮的に電気エネルギを供給するためのものであり、患者の体内に埋め込まれた体内コイルＢと、ベッド１と、磁性体２と、体外コイルＡと、外部電源５とから主に構成される。
【００１９】
二次電池４は、体内に埋め込まれることを考慮して、体積及び重量に対するエネルギ密度が高く、安全性に優れたものを選択採用するのが好ましく、ニッケルカドミウム二次電池やニッケル水素二次電池、リチウムイオン二次電池等が好ましい。但し、体内埋込のための条件をクリアし、充放電特性に優れたものであれば、他の二次電池を採用してもよい。
【００２０】
体内コイルＢは、外科手術により患者の皮下（例えば、腹部における皮膚の直下）に埋め込まれるとともに、巻き部より連なる電線６（シリコン樹脂等でコーティングして患者の体と絶縁されている）により二次電池４と電気的に接続されたものであり、１ｍｍ２程度の断面積をもつリッツ線を中空部の直径が１５０〜２００ｍｍ程度となるよう所定回数（３〜５回程度が好ましい）巻いて構成されている。巻き回数は、１〜５０回程度としてもよい。尚、本実施形態の如き銅から成る体内コイルＣに代えて、銀やアルミ等他の材質としてもよいが、柔軟性及び耐久性の観点から撚り線であるのが好ましい。尚、体内コイルＢの中空部の形状は、円形の他、楕円等他の形状であってもよい。
【００２１】
ベッド１は、患者が横たわって就寝するためのもので、敷き布団８（或いはマットレス）を上面に載置可能とするための当該ベッド１の床面を成す板材１ａを有し、敷き布団８上に患者が横たわって掛け布団９を掛け得るよう構成されている。かかる板材１ａは木材等から成り、その所定部位には、後述する磁性体２における下方梁部２ｂの先端部近傍を挿入し得る孔１ａａが形成されている。尚、ベッド１は、看護用ベッド等種々の公知のものを含む。
【００２２】
磁性体２は、例えばフェライトを図２に示すように構成させたものであり、断面が矩形状を成す立設部２ａ、下方梁部２ｂ及び上方梁部２ｃから主に成る。かかる磁性体２は、複数の磁性体片を接着剤等により接着させて形成したものであるが、一体的に形成して継ぎ目のないものとするのが好ましく、フェライト以外の材料から成るものであっても、所定の磁性及び強度を備えたものであれば他の材質とすることができる。
【００２３】
立設部２ａは、ベッド１の側方近傍に立設された柱状部位であり、その一部には体外コイルＡが巻着されている。該体外コイルＡは、１〜３ｍｍ２（好ましくは２ｍｍ２）程度断面積をもつ銅撚り線を立設部２ａに１０〜２００回（好ましくは５０回）程度巻き付けたものであり、巻き部から延びる電線７により外部電源５と電気的に接続されている。尚、外部電源５の詳細については後述する。
【００２４】
下方梁部２ｂは、立設部２ａの下端部からベッド１の下方まで延設されたものであり、先端部近傍が延設方向に対して略直角に屈曲（上方に屈曲）して形成されている。即ち、下方梁部２ｂは、図３に示すように、立設部１ａの下端部から室内の床面ｆ上をベッド１の幅方向に延びて形成された中間部２ｂｂと、該中間部２ｂｂから上方に突出して形成された先端部２ｂｃとから成り、該先端部２ｂｃが板材１ａの孔１ａａに挿入されて先端面２ｂａが敷き布団８を臨むよう構成されている。
【００２５】
上方梁部２ｃは、立設部２ａの上端部からベッド１の上方まで延設されたものであり、先端部近傍が延設方向に対して略直角に屈曲（下方に屈曲）して形成されている。即ち、上方梁部２ｃは、図４で示すように、立設部１ａの上端部からベッド１の幅方向に延びて形成された中間部２ｃｂと、該中間部２ｃｂから下方に突出して形成された先端部２ｃｃとから成り、下方梁部２ｂの先端面２ｂａと対向する位置に先端面２ｃａを有するよう構成されている。
【００２６】
上記下方梁部２ｂにおける先端面２ｂａと上方梁部２ｃにおける先端面２ｃａとは所定寸法離間して、磁性体２のギャップ部Ｇを形成しており、体外コイルＡに電流を流すとベッド１上の所定範囲内で磁場を生じさせ得るよう構成されている。即ち、ベッド１を上下に挟むようギャップ部Ｇが形成されているため、一方の先端面から他方の先端面へ磁力線が発生し、該磁力線から成る磁場がベッド１上の患者の体内に埋め込まれた体内コイルＢに対して電磁誘導作用を生じさせる。
【００２７】
ギャップＧの寸法（即ち、先端面２ｂａと２ｃａとの離間間隔）は、発生される磁場の強度（磁性体２の断面積や外部電源５で印加する電圧等に影響される）及び患者が横臥し得るスペースの確保の観点から、適宜設定されるものであるが、断面積が５０〜１００ｃｍ２の磁性体２を用いた場合を想定すると、３０〜５０ｃｍ程度のギャップ部Ｇを有するのが好ましい。尚、磁性体２の断面積は、３０〜５００ｃｍ２程度、ギャップは３０〜５０ｃｍ程度の範囲内であれば実用に耐え得る。
【００２８】
ここで、下方梁部２ｂ及び上方梁部２ｃは、立設部２ａに一端が支持された片持ち梁を構成するため、それら重量及び長さが大きい程、強度を維持することが困難となる。従って、本実施形態の如く、下方梁部２ｂ及び上方梁部２ｃをベッド１の幅方向に延ばして形成することにより、ベッド１の長手方向に延ばして形成するものに比べて、これら梁を短くすることができ、強度を向上させることができる。
【００２９】
尚、磁性体２の強度維持の観点から、別途のフレーム（例えば木材や非磁性金属等から成るもの）で上方梁部２ｃを支持するよう構成してもよい。また、上方梁部２ｃの中間部２ｃｂを天井にボルト等によって固定するようにしてもよい。
【００３０】
外部電源５は、体外コイルＡに電圧を印加するためのもので、図５で示すように、商用電源から成るＤＣ電源５ａと、スイッチング回路５ｂとから主に構成されており、ＤＣ電源５ａによる直流電力をスイッチング回路５ｂが具備するパワーＭＯＳ−ＦＥＴ等の半導体素子によるスイッチングにより交流電力に変換している。尚、スイッチング回路５ｂにより生じるスイッチング周波数は、１００ｋＨｚ程度とする。
【００３１】
かかる交流電力は、電線７を介して体外コイルＡに送られ、該体外コイルＡと体内コイルＢとの間に生じる電磁誘導作用により患者の体内へと伝送される。体内コイルＢで受け入れられた交流電力は、図６で示すように、電線６を介して整流回路１０に送られ、そこで直流電力に変換される一方、該直流電力が二次電池４に伝送されて体内埋込装置３の電源とされる。尚、同図点線で示すように、整流回路１０と体内埋込装置３とを直接接続するバイパスを設け、電磁誘導作用により生じた電力を二次電池４の充電に利用しつつ体内埋込装置３の駆動に利用するよう構成してもよい。
【００３２】
次に、上記経皮的エネルギ移送装置における作用について説明する。
まず、ギャップ部Ｇに患者に埋め込まれた体内コイルＢが位置するよう患者を敷き布団８上に横臥させる。かかる状態で外部電源５をオンにすると、交流電流が体外コイルＡを流れ、磁性体２のギャップ部Ｇに上方及び下方に向かう磁力線を交互に発生させ、該磁力線から成る磁場を生じさせる。この磁場により体内コイルＢに電磁誘導作用が生じるので、体内コイルＢに交流電流が流れることとなる。
【００３３】
上記電磁誘導作用による交流電力が整流回路１０で直流電力に変換され、二次電池４を充電することとなる。この二次電池４から伝送される電気エネルギが体内埋込装置３を駆動させ、臓器や他の要素に代わる所定の機能を行い、又はこれら臓器や他の要素の補助動作を行うこととなる。患者の就寝完了とともに、外部電源５をオフにして、一連の充電操作が完了する。尚、充電時間が経過した後は、それを検知して外部電源５をオフにしてもよいし、充電時間を予め設定しておきタイマにて外部電源５をオフにするよう構成してもよい。
【００３４】
本実施形態によれば、患者が所定時間の就寝が終わって目覚めると二次電池４の充電が完了しているため、就寝時において患者に意識させることなく二次電池の充電を行うことができるとともに、患者は外部電源５と接続されていないので、電線の接続による違和感がない睡眠を確保でき、緊急時における素早い対応を可能とすることができる。従って、二次電池４の充電時における患者の精神的及び肉体的負担を著しく軽減することができる。
【００３５】
次に、他の実施形態に係る経皮的エネルギ移送装置について説明する。尚、先の実施形態と同様の構成要素については、同一の符号を付し、その説明を省略してある。本実施形態の経皮的エネルギ移送装置は、先の実施形態と同様、患者の体内に埋め込まれた体内コイルＢと、ベッド１と、磁性体２と、体外コイルＡと、外部電源５とから主に構成される。
【００３６】
図７で示すように、室内の床面ｆにベッド１の長手方向と平行に延びるレールＲを固定しておき、磁性体２が当該レールＲ上を摺動自在とした構成とすることもできる。即ち、患者が就寝時にベッド１に入る時、及び起床時にベッド１から起き上がる時は、図８の二点鎖線で示す位置に磁性体２を配置しておき、患者がベッド１で就寝している間は、ギャップ部Ｇで生じる磁界の範囲内に体内コイルＢが位置するよう磁性体２を摺動させる。尚、同図中の符号Ｓは、磁性体２の摺動範囲を規制するストッパを示している。
【００３７】
また、図９で示すように、立設部２ａを中心軸として磁性体２全体が揺動自在とした構成とすることもできる。即ち、患者が就寝時にベッド１に入る時、及び起床時にベッド１から起き上がる時は、同図の二点鎖線で示すいずれかの状態に磁性体２を位置させておき、患者がベッド１で就寝している間は、ギャップ部Ｇで生じる磁界の範囲内に体内コイルＢが位置するよう磁性体２を揺動させる。
【００３８】
かかる揺動可能とした構成の場合、例えば図１０で示すように、立設部２ａと上方梁部２ｃとを別体構成とするとともに、これらを蝶番１１で連結するようにして、患者がベッド１に入る時及びベッド１から起き上がる時に、上方梁部２ｃのみを揺動させ得る構成としてもよい。この場合、揺動させる対象が上方梁部２ｃのみであるため、小さな力で揺動させることができ、操作性を向上させることができる。
【００３９】
上記他の実施形態の構成によれば、患者がベッド１に横たわる時及びベッド１から起きあがる時に、上方梁部２ｃに患者の頭部等が干渉するのを防止でき、より患者の精神的及び肉体的負担を軽減することができるとともに、上方梁部２ｃの先端面２ｃａが同一高さで移動するので、患者の横たわる位置が移動しても、これに追従して上方梁部２ｃの先端面２ｃａを体内コイルＢ上に合致させることができる。
【００４０】
尚、図１１で示すように、立設部２ａの上端近傍の一部と上方梁部２ｃとを一体構成としつつ、立設部２ａの他の部位と別体構成とするとともに、これら構成部位を蝶番１１で連結した構成としてもよい。この場合、図１２に示すように、患者がベッド１に横たわる時及びベッド１から起きあがる時に、上方梁部２ｃを上方へ揺動させれば、当該上方梁部２ｃと患者との干渉を回避することができる。
【００４１】
以上、実施形態について説明したが、本発明はこれに限定されるものではなく、例えば板材１ａに孔１ａａを形成せず、板材１ａを介して磁力線が先端面２ｂａと２ｃａとの間で生じるよう構成してもよい。また、上方梁部２ｃをベッド１に対して移動可能とする場合、上述した種々の実施形態と異なる移動手段を具備してもよい。
【００４２】
【発明の効果】
請求項１の発明によれば、ベッドを上下に挟んで構成される磁性体のギャップ部で磁場を生じさせ、該磁場によって体内コイルに電磁誘導作用を生じさせ、二次電池に電気エネルギを供給するよう構成したので、患者と外部電源とを接続するための配線を不要とし、就寝時において患者に意識させることなく二次電池の充電を行うとともに電線等による体の拘束がないため、緊急時における素早い対応を可能とすることにより、患者の精神的及び肉体的負担を軽減することができる。
【００４３】
請求項２の発明によれば、簡易な構成により体内コイルに対して電磁誘導作用を及ぼすことができるため、製造及びメンテナンスを容易にすることができ、且つ、就寝時において患者に意識させることなく二次電池の充電を行うとともに電線等による体の拘束がないため、、緊急時における素早い対応を可能とすることにより、患者の精神的及び肉体的負担を軽減することができる。
【００４４】
請求項３の発明によれば、上方梁部が、前記ベッドに対して移動可能とされているので、患者がベッドに横たわる時及びベッドから起きあがる時に、上方梁に患者の頭部等が干渉するのを防止でき、より患者の精神的及び肉体的負担を軽減することができる。
【００４５】
請求項４の発明によれば、前記上方梁部が移動可能とされているので、患者がベッドに横たわる時及びベッドから起きあがる時に、上方梁に患者の頭部等が干渉するのを防止できるとともに、上方梁部の先端面が同一高さで移動するので、患者の横たわる位置が移動しても、これに追従して上方梁部の先端を体内コイル上に合致させることができる。
【図面の簡単な説明】
【図１】本発明の実施形態に係る経皮的エネルギ移送装置を示す模式図
【図２】本発明の実施形態に係る経皮的エネルギ移送装置における磁性体を示す斜視図
【図３】本発明の実施形態に係る経皮的エネルギ移送装置における磁性体の下方梁部を示す拡大図
【図４】本発明の実施形態に係る経皮的エネルギ移送装置における磁性体の上方梁部を示す拡大図
【図５】本発明の実施形態に係る経皮的エネルギ移送装置における外部電源を示すブロック図
【図６】本発明の実施形態に係る経皮的エネルギ移送装置における体内コイル及びそれと接続された周辺部を示すブロック図
【図７】本発明の他の実施形態に係る経皮的エネルギ移送装置において、磁性体を摺動自在とした場合の構成を上面から示した模式図
【図８】本発明の他の実施形態に係る経皮的エネルギ移送装置において、磁性体を摺動自在とした場合の摺動動作を正面から示した模式図
【図９】本発明の他の実施形態に係る経皮的エネルギ移送装置において、磁性体を揺動自在とした場合の構成を上面から示した模式図
【図１０】本発明の他の実施形態に係る経皮的エネルギ移送装置において、磁性体の上方梁部２ｃのみを揺動自在とした場合の構成を側面から示した模式図
【図１１】本発明の他の実施形態に係る経皮的エネルギ移送装置において、磁性体の上方梁部２ｃのみを上下に揺動自在とした場合の構成を示した斜視図
【図１２】本発明の他の実施形態に係る経皮的エネルギ移送装置において、磁性体の上方梁部２ｃのみを上下に揺動自在とした場合の揺動動作を示すための側面図
【符号の説明】
１…ベッド
１ａ…（ベッドの）床面
１ａａ…孔
２…磁性体
２ａ…立設部
２ｂ…下方梁部
２ｂａ…先端面
２ｂｂ…中間部
２ｂｃ…先端部
２ｃ…上方梁部
２ｃａ…先端面
２ｃｂ…中間部
２ｃｃ…先端部
３…体内埋込装置
４…二次電池
５…外部電源
６、７…電線
８…敷き布団
９…掛け布団
１０…整流回路
１１…蝶番
Ａ…体外コイル
Ｂ…体内コイル
Ｇ…ギャップ部
Ｒ…レール
Ｓ…ストッパ
ｆ…（室内の）床面
【図１】
2004073724.tif 000003
【図２】
2004073724.tif 000004
【図３】
2004073724.tif 000005
【図４】
2004073724.tif 000006
【図５】
2004073724.tif 000007
【図６】
2004073724.tif 000008
【図７】
2004073724.tif 000009
【図８】
2004073724.tif 000010
【図９】
2004073724.tif 000011
【図１０】
2004073724.tif 000012
【図１１】
2004073724.tif 000013
【図１２】
2004073724.tif 000014